(57)【特許請求の範囲】
【請求項１】
陸屋根床部１、１１上面に防水層２、１２を敷設し、その防水層２、１２の所要個所に脱気孔１３を形成するとともに、その所要個所の防水層２、１２上面に上向きの脱気筒１４を設けた陸屋根床部防水層の脱気装置において、
上記脱気筒１４の下部は上記脱気孔１３を被ってその周りの防水層２、１２に水密に固定され、一方、上部には、下向きの排気口１６ｂを有するキャップ１６が被せられており、その脱気筒１４内にはファン２１が設けられ、このファン２１の電源用太陽電池１８が前記脱気筒１４の周囲に設けられ、かつ前記キャップ１６の内部天面は逆円錐面１７となっていることを特徴とする陸屋根床部防水層の脱気装置。
【発明の詳細な説明】
【０００１】
【産業上の利用分野】
この発明は、陸屋根床部上面に防水層を敷設した防水構造において、その防水層下面の脱気を行う装置に関するものである。
【０００２】
【技術的背景】
陸屋根床部の上面は、雨水に晒されるため防水処理をする必要があり、図３に示すように、コンクリート層１（床部）上面に防水層２を敷設する。このとき、その防水層２は、コンクリート層１が完全に乾いた状態で敷設されるのは稀であり、すなわち、工期短縮のため、コンクリート層１の含水率が高い状態のまま防水処理をしなければならない場合が多く、また、コンクリートそのものがポンプ打ち工法のため、以前に比べ水分が多くなっており、防水層２の下面には、コンクリート層１内の水分が浮き出てくる。この水分の滞留は、コンクリート層１の乾燥を遅らせる等のコンクリート層の強度化に悪影響を与えるとともに、防水層２にもその水分中の物質が少なからず悪影響を与えて、劣化を促進する。
【０００３】
このため、従来から、脱気装置がその防水層２の所要位置に設けられている。その脱気装置は、防水層２の継目などの所要位置に脱気孔３を形成し、その脱気孔３の周りに脱気筒４を設け、この筒４及び脱気孔３を通して、矢印のごとく防水層２下面の脱気を行い、それによって水分を除去するようにしている。脱気筒４への雨水の侵入は、カバー５によって防がれる。
【０００４】
【発明が解決しようとする課題】
この従来の脱気装置において、脱気を円滑に行うため、同図に示すように、脱気筒４内にファン６を設け、このファン６を太陽電池７により作動して、強制脱気させるものが考案されている。
【０００５】
しかしながら、その脱気装置の太陽電池７は一個所にしか設けられていないため、集光率が悪く、ファン６を十分に駆動し得ず、満足のいける脱気がなされていないのが実情である。
【０００６】
また、カバー６の内部天面もフラット面であるため、雨水が入り易く、逆流現象も生じていた。これらは、脱気作用に悪影響を及ぼす。
【０００７】
この発明は、上記の実情の下、脱気効率を高めることを課題とする。
【０００８】
【課題を解決するための手段】
上記課題を解決するために、この発明にあっては、陸屋根床部上面に防水層を敷設し、その防水層の所要個所に脱気孔を形成するとともに、その所要個所の防水層上面に上向きの脱気筒を設けた上述の周知の陸屋根床部防水層の脱気装置において、下記の点▲１▼、▲２▼を有する構成としたのである。
【０００９】
▲１▼  上記脱気筒の下部は上記脱気孔を被ってその周りの防水層に水密に固定され、一方、上部には、下向きの排気口を有するキャップが被せられている。
【００１０】
▲２▼  上記脱気筒内にファンが設けられ、このファンの電源用太陽電池が前記脱気筒の周囲に設けられている。
【００１１】
上記太陽電池はシート状とすることが好ましく、また、キャップ内部下面は逆円錐面とするとよい。
【００１２】
【作用】
このように構成するこの発明に係る脱気装置は、太陽電池の集光発電によってファンが作動して、脱気孔から強制脱気が行われる。このとき、太陽電池は脱気筒周囲に設けられているため、太陽の全方位に対し有効に集光して発電する。
【００１３】
太陽電池がシート状であると、その施工がし易く、また、脱気筒の周囲に設け易い。キャップの内部天面が逆円錐面であると、ファンの排気はその逆円錐面に沿って外側に流れて、キャップの排気口からスムースに大気に出る。一方、キャップが脱気筒に被さってその排気口が下向きのため、雨水はキャップ内に入りにくく、仮に入っても、前記逆円錐面によってその侵入流れが阻止されるため、脱気筒内への雨水の侵入は有効に防止される。
【００１４】
【効果】
この発明は、以上のように構成して以上の作用によって下記の効果▲１▼を発揮する。
【００１５】
▲１▼  集光発電が円滑になされてファンを常時作動させることができるため、安定した円滑な脱気がなされる。
【００１６】
【実施例】
図１、図２に一実施例を示し、この実施例は防水処理の補修を行ったもの、すなわち、コンクリート層からなるスラブ（床部）１上面に防水層２を設け、その防水処理が劣化したため、さらに防水層３の上にコンクリート層１１を設け、このコンクリート層１１の上面に防水シート１２を敷設したものである。
【００１７】
防水シート１２は、塩化ビニルなどからなって、発泡ポリエチレンなどの絶縁シート１５を介在して敷設する。この敷設は、防水シート１２の所要個所を防水処理を伴うビスで止め、いわゆる絶縁張りによる。この絶縁張りによって、防水シート１２とコンクリート層１１間に空気が通り得ることとなる。防水シート１２は、全面を絶縁張りとせず、一部を接着する部分絶縁張りとすることもできる。
【００１８】
防水シート１２は継目などに適宜に脱気孔１３を形成する。この脱気孔１３の位置・数・大きさは敷設面積、敷設状態などを考慮して適宜に決定する。各脱気孔１３には脱気筒１４を設ける。
【００１９】
脱気筒１４は、塩化ビニル等の樹脂成形品であって、円盤状１４ｃの中央に筒部１４ａを有し、その筒部１４ａは、椀状から円筒状となり、先窄み状となって開口している。この先窄み状は、流通面積の縮少となるため、脱気の流速が増して、その脱気が円滑となる。円盤状部１４ｃは周囲適宜個所をビスａによってコンクリート層１１にねじ止めされている。
【００２０】
脱気筒１４上部にはキャップ１６が被せられ、このキャップ１６は、周囲等間隔山状に凹凸１６ｃを形成し、その内面の段部１６ａを筒部１４ａの段部１４ｂに係止して脱気筒１４に取付けられている。この山状凹凸１６ｃによって、筒部１４ａとキャップ１６間に間隙Ｓが形成され、この間隙Ｓの下面が排気口１６ｂとなる。キャップ１６内部天面には逆円錐板１７が設けられており、この逆円錐面によって、矢印のごとく、脱気は外側に流れを変えて大気に至る。
【００２１】
脱気筒１４の円盤部にはドーナツ形シート状の太陽電池１８が設けられており、この太陽電池１８の内外周縁は防水シール１９がなされている。この太陽電池１８は、脱気筒１４の円盤状部１４ｃに張設すると、スイッチ２０からのリード線に触れてスイッチ２０に電気的に接続される。
【００２２】
脱気筒１４内にはその円筒部と同一径のファン２１が設けられ、このファン２１は、スイッチ２０を介して太陽電池１８に接続されており、スイッチ２０のオンによってファン２１が作動して、図示矢印のごとく脱気を行う。この作動中、動作ランプ２２が点灯する。図中、２３はコネクタである。
【００２３】
実施例は、補修防水処理のものであっが、新築のスラブ１上面と防水層２の間の脱気においても同様な構成でもって、脱気し得ることは勿論である。また、防水シート１２による防水層に代えて、他の周知のもの、例えばウレタン塗膜、アスファルト塗膜などによる防水層１２においてもこの発明は採用することができる。さらに、太陽電池１８は筒部１４ａに形成することもできる。
【図面の簡単な説明】
【図１】一実施例の斜視図
【図２】同実施例の断面図
【図３】従来例の断面図
【符号の説明】
１、１１  床部（スラブ）
２、１２  防水層（防水シート）
３、１３  脱気孔
４、１４  脱気筒
１５  絶縁シート
１６  キャップ
１７  逆円錐板
１８  太陽電池
１９  防水シール
２０  スイッチ
２１  ファン
２２  動作ランプ
２３  コネクタ
【図１】
0003637095.tif 000002
【図２】
0003637095.tif 000003
【図３】
0003637095.tif 000004